(57)【要約】【課題】受話器の大きさ程度しか幅のない子機に設けられた表示部でも、電話回線から受信したファクシミリ画像情報の内容を鮮明に表示ができ、ユーザの内容判読にとって極めて使い勝手が良い電話システムを提供する。【解決手段】電話回線からファクシミリ画像情報を受信する親機１０と、この親機１０と無線に接続される子機１００とを有する電話システムにおいて、親機１０は、ファックス画像情報から文字領域を抽出して、文字認識して文字コードに変換する文字認識部３０と、文字コードを子機１００に送信する送信部５０とを備え、子機１００は、親機１０から送信された文字コードを受信する受信部１１０と、受信した文字コードを表示する表示部１３０とを備えている。子機１００の表示部１３０にファクシミリ画像情報を文字認識させた文字コードを元に変換した文字を表示することで、表示部１３０のサイズが小さくても内容の判読が容易である。【選択図】図２
2006013855.tif 000002
【特許請求の範囲】
【請求項１】
ファックス画像情報の受信が可能な親機及び当該親機の電話子機機能を有する子機を備え、当該親機と子機とが無線により通信可能な電話システムであって、
前記親機は、電話回線を介して受信したファックス画像情報を表示する第１の表示部と、当該ファックス画像情報を記憶する画像記憶部と、
記憶されたファックス画像情報から文字領域を抽出して、文字認識して文字コードに変換する文字認識部と、
当該文字認識部の認識結果である文字コードを記憶する認識結果記憶部と、
前記認識結果記憶部に記憶された文字コードを前記子機に送信する送信部と、
前記親機がファクシミリ画像を受信した際に、当該画像を前記文字認識部により文字認識させ、当該認識結果を前記送信部により前記子機に送信するように制御する第１の制御部と、を備え、
前記子機は、前記親機から送信された認識結果を受信する受信部と、
当該受信した認識結果を表示する第２の表示部と、
前記受信部が前記親機から認識結果を受信した際に、前記第２の表示部に表示させる第２の制御部と、を備えること特徴とする電話システム。
【請求項２】
前記親機に、前記認識部の認識結果について受信したファックス画像情報の全体文字の何割が認識されたかを示す数値を認識率情報として算出する認識率算出手段を備え、前記送信部は、前記子機へ前記認識率情報を送信することを特徴とする請求項１記載の電話システム。
【請求項３】
前記親機に、前記ファックス画像情報を受信した時刻を記録するタイマー部と、
前記ファックス画像情報を送信した相手情報を取得する相手情報取得部と、
当該相手情報を記憶する相手情報記憶部と、を備え、
前記制御部は、前記変換した文字コード及び前記認識率情報と共に、前記ファクス画像情報を受信した時刻及び前記相手情報を前記子機に前記送信部を介して送信することを特徴とする請求項２記載の電話システム。
【請求項４】
前記子機に、前記親機より受信した前記認識率情報が所定の数値より低い際には、その旨を報知する報知手段を備えたことを特徴とする請求項２または３記載の電話システム。
【請求項５】
前記親機の第１の制御部は、前記文字認識部が算出した認識率情報が所定の割合より低い際には、前記親機の第１の表示部に当該ファックス画像情報を拡大して表示するように制御することを特徴とする請求項２から４のいずれかの項に記載の電話システム。
【発明の詳細な説明】
【技術分野】
【０００１】
本発明は、ファックス画像情報の受信が可能な親機と、親機の電話子機機能を有する子機を備え、当該親機と子機とがファックス画像情報を無線により送受信する電話システムに関する。
【背景技術】
【０００２】
従来の電話システムの一例であるファクシミリ装置は、無線通信により接続された親機と子機とを備え、子機に表示部を設けて、当該子機側の表示部にて、親機側で受信したファックス画像を表示することができた。また、他には、子機で親機がファックス受信をしたことを知ることができるものがあった。
【特許文献１】特開平８−１２６０５４号公報
【特許文献２】特開２００２−１９９０８４号公報
【発明の開示】
【発明が解決しようとする課題】
【０００３】
従来のファクシミリ装置では、その子機は受話器の大きさ程度しか幅がないので、その子機に設けられた表示部の画面は狭い。従って一度に多量の鮮明な画像を表示することができない。また、子機によりファックス受信が有ったことを子機の表示部により操作者が知っても、子機の表示部の画面は狭いので詳細を確認するためには、親機の表示画面等によりその内容を確認しなければならなかった。
【０００４】
そこで本発明は、受話器の大きさ程度しか幅のない子機に設けられた表示部でも、電話回線から受信したファクシミリ画像情報の内容を鮮明に表示ができ、ユーザの内容判読にとって極めて使い勝手が良い電話システムを提供することを目的とする。
【課題を解決するための手段】
【０００５】
本発明の電話システムは、ファックス画像情報の受信が可能な親機及び当該親機の電話子機機能を有する子機を備え、当該親機と子機とが無線により通信可能な電話システムであって、前記親機は、電話回線を介して受信したファックス画像情報を表示する第１の表示部と、当該ファックス画像情報を記憶する画像記憶部と、記憶されたファックス画像情報から文字領域を抽出して、文字認識して文字コードに変換する文字認識部と、当該文字認識部の認識結果である文字コードを記憶する認識結果記憶部と、前記認識結果記憶部に記憶された文字コードを前記子機に送信する送信部と、前記親機がファクシミリ画像を受信した際に、に当該画像を前記文字認識部により文字認識させ、当該認識結果を前記送信部により前記子機に送信するように制御する第１の制御部と、を備え、前記子機は、前記親機から送信された認識結果を受信する受信部と、当該受信した認識結果を表示する第２の表示部と、前記受信部が前記親機から認識結果を受信した際に、前記第２の表示部に表示させる第２の制御部と、を備えること特徴とする。
【発明の効果】
【０００６】
本発明によれば、親機が受信したファックス画像情報を文字コードに一旦変換した後に、子機に送信する為に、子機の狭い画面においても、鮮明に表示ができ、ユーザの内容判読にとって極めて使い勝手が良い。
【発明を実施するための最良の形態】
【０００７】
第１の発明は、ファックス画像情報の受信が可能な親機及び当該親機の電話子機機能を有する子機を備え、当該親機と子機とが無線により通信可能な電話システムであって、親
機は、電話回線を介して受信したファックス画像情報を表示する第１の表示部と、当該ファックス画像情報を記憶する画像記憶部と、記憶されたファックス画像情報から文字領域を抽出して、文字認識して文字コードに変換する文字認識部と、当該文字認識部の認識結果である文字コードを記憶する認識結果記憶部と、認識結果記憶部に記憶された文字コードを子機に送信する送信部と、親機がファクシミリ画像を受信した際に、当該画像を文字認識部により文字認識させ、当該認識結果を送信部により子機に送信するように制御する第１の制御部と、を備え、子機は、親機から送信された認識結果を受信する受信部と、当該受信した認識結果を表示する第２の表示部と、受信部が親機から認識結果を受信した際に、第２の表示部に表示させる第２の制御部と、を備えること特徴としたものである。この構成により、親機によるファックス画像情報の受信があったとき、文字コードにテキスト変換されたファックス内容を自動的に子機に送るものである。
【０００８】
第２の発明は、親機に、認識部の認識結果について受信したファックス画像情報の全体文字の何割が認識されたかを示す数値を認識率情報として算出する認識率算出手段を備え、送信部は、子機の受信部へ認識率情報を送信することを特徴としたものである。この構成により、使用者は、親機から子機に送られてきた文字コードの認識率を知ることができるため、もし、認識率が低ければ、親機側で表示部や印刷部に出力されたファクシミリ画像情報にてその内容を確認するように促すというものである。
【０００９】
第３の発明は、親機に、ファックス画像情報を受信した時刻を記録するタイマー部と、ファックス画像情報を送信した相手情報を取得する相手情報取得部と、当該相手情報を記憶する相手情報記憶部と、を備え、制御部は、変換した文字コード及び認識率情報と共に、ファックス画像情報を受信した時刻及び相手情報を子機に送信部を介して送信することを特徴としたものである。この構成により、子機側に表示された文字コードに変換され表示部に表示されたファクシミリ画像情報と、親機の表示部に表示されたファックス画像情報との対応を取る事ができるというものである。
【００１０】
第４の発明は、子機に、親機から受信した認識率情報が所定の数値より低い際には、その旨を報知する報知手段を備えたことを特徴としたものである。この構成により、使用者は、親機が不明瞭なファックス画像情報を受信したことを子機により知ることができ、直接、親機によってファックス画像情報を出力させ、その内容を確認する等の迅速な対応ができるものである。
【００１１】
第５の発明は、親機の第１の制御部は、文字認識部が算出した認識率情報が所定の割合より低い際には、当該ファクス画像情報を第１の表示部に拡大して表示するように制御することを特徴としたものである。この構成により、使用者は、不明瞭なファックス画像を受信した場合、拡大された受信画像を親機側の表示画面にて確認することが出来るというものである。
【００１２】
以下、本発明の実施の形態について、各図に基づいて説明する。
【００１３】
（実施の形態１）
図１は、本発明の実施の形態に係る電話システムの一例であるファクシミリ電話装置の概観図であり、親機及び子機を示す図である。
【００１４】
図１に示すように、２００は、受信したファックス（以下、ＦＡＸと称す。）の文書を内部のメモリに蓄積し、必要な際に用紙に印刷する機能を有し、受信したＦＡＸ文書の画像情報をもとに文字コード情報を生成してコードレス電話装置の子機に送信する機能を有したコードレスのファクシミリ電話装置の親機である。
【００１５】
図１に示すように、３００は、同図に示す２００の親機から無線にて送信された文字コード列を受信し、受信した文字列を閲覧することができるコードレスのファクシミリ電話装置の子機である。３１０は、親機２００から受信した文字列を表示するための子機ディスプレイである。
【００１６】
図２は本発明の実施の形態１の電話システムの一例であるファクシミリ電話装置であり、親機の構成及び子機の構成を示すブロック図である。
【００１７】
図２に示すように、１０は、図１に示すＦＡＸ付コードレス電話装置の親機であり、主要な部分のみを図示している。
【００１８】
親機１０は、受信したＦＡＸ文書を内部メモリに画像情報として蓄積することができる画像記憶部２０と、蓄積された画像情報から文字を認識し文字コードに変換する文字認識部３０と、変換した文字コードを格納する認識結果記憶部４０と、格納された内容を子機へと送信する送信部５０と、親機内部の各部と各部のデータの流れを制御する制御部（第１の制御部）７０と、受信したファクシミリ画像情報を表示する表示部（第１の表示部）８０と、ファクシミリ画像情報を印字する印字部８１とを備えている。
【００１９】
図２に示すように、１００は、図１に示すコードレスのファクシミリ電話装置の子機であり、主要な部分のみを図示している。
【００２０】
子機１００は、親機から送信された認識結果を受信する受信部１１０と、受信した認識結果を表示する表示部（第２の表示部）１３０と、子機内部の各部と各部のデータの流れを制御する制御部（第２の制御部）１２０とを備えている。
【００２１】
以上のように構成される本発明の実施の形態１の電話システムの一例であるファクシミリ電話装置の動作を図３に基づいて説明する。図３から図５は本発明の実施の形態１の動作を説明するフローチャートであり、図３と図４は親機の動作を説明する図、図５は子機の動作を説明する図である。
【００２２】
図３に示すように、まず親機１０が、ＦＡＸ文書を受信するとファクシミリ画像情報を表示部８０に表示するとともに、画像記憶部２０に蓄積する（Ａ１）。次に、文字認識部３０がファクシミリ画像情報から所定の領域を抽出して文字を認識して文字コードに変換する（Ａ２）。文字認識が成功し正常に文字コードに変換できたかどうかを判断し（Ａ３）成功の場合、その文字コードを認識結果記憶部４０へ格納する（Ａ４）。制御部７０が、抽出したファクシミリ画像情報の領域サイズを制御部７０内の認識済み領域サイズに加算する（Ａ５）。認識済み領域サイズが画像情報全体の領域サイズに達し全領域を認識し終えたかどうか判定し（Ａ６）、認識済みなら認識結果の文字コードを送信部５０により子機へと送信する（Ａ７）。
【００２３】
図４に示すように、制御部７０では電話回線から受信し、画像記憶部２０へ格納したファクシミリ画像情報を画像記憶部２０より読み出して表示部８０に表示し（Ａ１０）、印刷要求があれば印字部８１で印字を行う（Ａ１１）。
【００２４】
次に、図５に示すように、子機１００では認識結果を受信したかチェックを行う（Ａ８）。受信部１１０で文字コードを受信した場合、認識結果の文字コードを文字列に変換してディスプレイである表示部１３０に表示する（Ａ９）。
【００２５】
このように、本発明の実施の形態１の電話システムによれば最終的に子機の表示部であるディスプレイに表示された受信内容を見て親機が設置された場所に行って内容を確認す
べきかどうか判断することができる。
【００２６】
（実施の形態２）
次に、本発明の実施の形態２の電話システムについて説明する。
【００２７】
図６は本発明の実施の形態２の電話システムの一例であるファクシミリ電話装置であり、親機の構成及び子機の構成を示すブロック図である。なお、図６においては、図１における構成要素に、認識できた部分がファクシミリ画像情報の全体文字の何パーセントであるかを認識率情報として算出する認識率算出部６０を追加したものである。
【００２８】
このように構成される本発明の実施の形態２の電話システムの一例であるファクシミリ電話装置の動作を、図７及び図８に基づいて説明する。図７及び図８は本発明の実施の形態２の電話システムの一例であるファクシミリ電話装置の動作を説明するフローチャートであり、図７は親機の動作を説明する図、図８は子機の動作を説明する図である。なお、図７において、Ｂ１〜Ｂ２までは図３のＡ１〜Ａ２までの処理と同様である。
【００２９】
Ｂ２の次に文字認識が成功し正常に文字コードに変換できたかどうかを判断し（Ｂ３）成功の場合、その文字コードを認識結果記憶部４０へ格納（Ｂ４）し、制御部７０が、抽出したファクシミリ画像情報の領域サイズを制御部７０内の認識成功領域サイズに加算する（Ｂ５）。抽出したファクシミリ画像情報の領域サイズを制御部７０内の認識済み領域サイズに加算する（Ｂ６）。次に認識済み領域サイズがファクシミリ画像情報全体の領域サイズに達し全領域を認識し終えたかどうか判定し（Ｂ７）、認識済みなら認識結果の文字コード、及び認識率算出部６０によりファックス画像情報の全体文字の何割が認識されたかを示す数値である認識率情報を算出し、送信部５０により子機へと送信する（Ｂ８）。
【００３０】
次に、図８に示すよう、子機１００では認識結果である文字コードと認識率情報を受信部１１０により受信したかを制御部１２０がチェックを行う（Ｂ９）。受信した場合、認識結果の文字コードを文字列に変換したもの、及び認識率情報をディスプレイである表示部１３０に表示する（Ｂ１０）。
【００３１】
このように、本発明の実施の形態２の電話システムによれば最終的にディスプレイに表示された受信内容及び認識率情報を見て親機が設置された場所に行って内容を確認すべきかどうか判断することができる。
【００３２】
（実施の形態３）
次に、本発明の実施の形態３の電話システムについて説明する。図９は本発明の実施の形態３の電話システムの一例であるファクシミリ電話装置であり、親機の構成及び子機の構成を示すブロック図である。なお、図９においては、図６における構成要素に、ファックス画像を受信した時刻を記録するタイマー部９０と、ＦＡＸ受信時に電話回線より発信者の情報である相手情報を得るための相手情報取得部９１と、相手情報を記憶しておくための相手情報記憶部９２を追加したものである。
【００３３】
このように構成される本発明の実施の形態３の電話システムの一例であるファクシミリ電話装置の動作を、図１０及び図１１に基づいて説明する。図１０は本発明の実施の形態３の動作を説明するフローチャートであり、図１０は親機の動作を説明する図、図１１は子機の動作を説明する図である。なお、図１０において、Ｃ１〜Ｃ７までは、図７のＢ１〜Ｂ７までの処理と同様である。
【００３４】
図１０に示すように、Ｃ７にて全領域の認識が完了すると、タイマー部９０よりファク
シミリ画像情報受信時に記録した時刻を読み出し（Ｃ８）、相手情報取得部９１によって取得され、相手情報記憶部９２に記憶された相手情報を読み出す（Ｃ９）。認識結果の文字コード、受信時刻、相手情報を子機１００へと送信部５０により送信する（Ｃ１０）。
【００３５】
図１１に示すように、子機１００では認識結果である文字コードを受信したか制御部１２０がチェックを行う（Ｃ１１）。受信した場合、認識結果の文字コードを文字列に変換したもの、認識率、受信時刻、相手情報をディスプレイに表示する（Ｃ１２）。
【００３６】
このように、本発明の実施の形態３の電話システムによれば最終的にディスプレイに表示された受信内容だけでなく、ファクシミリ画像情報を受信した時刻や、ファクシミリ画像情報の発信相手の相手情報を見て親機が設置された場所に行って内容を確認すべきかどうか判断材料とすることができる。
【００３７】
（実施の形態４）
次に、本発明の実施の形態４の電話システムについて説明する。図１２は本発明の実施の形態４の電話システムの一例であるファクシミリ電話装置であり、親機の構成及び子機の構成を示すブロック図である。なお、図１２においては、図６における構成要素に、認識率情報が低い場合に報知を行う報知部１４０を追加したものである。
【００３８】
このように構成される本発明の実施の形態４の電話システムの一例であるファクシミリ電話装置の動作を、図１３に基づいて説明する。図１３は本発明の実施の形態４の電話システムの一例であるファクシミリ電話装置の子機の動作を説明するフローチャートである。
【００３９】
図１３に示すように、制御部１４０では受信部１１０より受信した認識率情報がある一定値以下であるかどうか判定し（Ｄ１）、そうである場合は報知部１４０により使用者に報知を行う（Ｄ２）。
【００４０】
このように、本発明の実施の形態４によれば使用者は報知された情報により認識率の低いファクシミリ画像情報を受信したことを直ちに知ることができ、親機により確認する等の迅速な対応をとることができる。
【００４１】
（実施の形態５）
次に、本発明の実施の形態５の電話システムについて説明する。本発明の実施の形態５の電話システムの構成は、図９と同じ構成である。本発明の実施の形態５の動作を図１４に基づいて説明する。図１４は本発明の実施の形態５の電話システムの一例であるファクシミリ電話装置の親機の動作を説明するフローチャートである。
【００４２】
図１４に示すように、親機１０の制御部７０は、認識率算出部６０により算出した認識率情報がある一定値以下であるかどうか判定し（Ｅ１）、そうである場合は、画像記憶部２０より読み出したファクシミリ画像情報を拡大したものを表示部８０に表示する（Ｅ２）。
【００４３】
このように、本発明の実施の形態５の電話システムによれば使用者は報知された情報により認識率の低い文書を受信した場合、特に操作することなく親機の表示部にてその内容を知ることができる。
【産業上の利用可能性】
【００４４】
本発明は、受信したファックス画像情報の内容に含まれる文字を子機にて表示する技術に関し、親機によるファックス受信があったとき、文字コードに変換したファックス画像
情報の内容を自動的に子機に送り、子機の表示画面にて鮮明な文字情報を表示できるので、電話システムに好適である。
【図面の簡単な説明】
【００４５】
【図１】本発明の実施の形態１に係る電話システムの一例であるファクシミリ装置の親機の外観図
【図２】本発明の実施の形態１に係る電話システムの一例であるファクシミリ電話装置の構成ブロック図
【図３】本発明の実施の形態１に係る電話システムの一例であるファクシミリ電話装置の親機の動作を説明するフローチャート
【図４】本発明の実施の形態１に係る電話システムの一例であるファクシミリ装置の親機の動作を説明するフローチャート
【図５】本発明の実施の形態１に係る電話システムの一例であるファクシミリ装置の子機の動作を説明するフローチャート
【図６】本発明の実施の形態２に係る電話システムの一例であるファクシミリ電話装置の構成ブロック図
【図７】本発明の実施の形態２に係る電話システムの一例であるファクシミリ電話装置の親機の動作を説明するフローチャート
【図８】本発明の実施の形態２に係る電話システムの一例であるファクシミリ電話装置の子機の動作を説明するフローチャート
【図９】本発明の実施の形態３に係る電話システムの一例であるファクシミリ電話装置の構成ブロック図
【図１０】本発明の実施の形態３に係る電話システムの一例であるファクシミリ電話装置の親機の動作を説明するフローチャート
【図１１】本発明の実施の形態３に係る電話システムの一例であるファクシミリ電話装置の子機の動作を説明するフローチャート
【図１２】本発明の実施の形態４に係る電話システムの一例であるファクシミリ電話装置の構成ブロック図
【図１３】本発明の実施の形態４に係る電話システムの一例であるファクシミリ電話装置の子機の動作を説明するフローチャート
【図１４】本発明の実施の形態４に係る電話システムの一例であるファクシミリ電話装置の子機の動作を説明するフローチャート
【符号の説明】
【００４６】
１０    親機
２０    画像記憶部
３０    文字認識部
４０    認識結果記憶部
５０    送信部
６０    認識率算出部
７０    制御部（第１の制御部）
８０    表示部（第１の表示部）
８１    印字部
９０    タイマー部
９１    相手情報取得部
９２    相手情報記憶部
１００    子機
１１０    受信部
１２０    制御部（第２の制御部）
１３０    表示部（第２の表示部）
１４０    報知部
２００    親機
３００    子機
３１０    子機ディスプレイ
【図１】
2006013855.tif 000003
【図２】
2006013855.tif 000004
【図３】
2006013855.tif 000005
【図４】
2006013855.tif 000006
【図５】
2006013855.tif 000007
【図６】
2006013855.tif 000008
【図７】
2006013855.tif 000009
【図８】
2006013855.tif 000010
【図９】
2006013855.tif 000011
【図１０】
2006013855.tif 000012
【図１１】
2006013855.tif 000013
【図１２】
2006013855.tif 000014
【図１３】
2006013855.tif 000015
【図１４】
2006013855.tif 000016